(57)【要約】【課題】  リピート再生機能を有する記録媒体再生装置において、リピート始点および終点を簡易な操作で柔軟に変更できる記録媒体再生装置を提供する。【解決手段】  記録媒体再生装置の制御部が、指示入力部からリピート再生指示が入力された場合に、リピート再生区間を定めるリピート始点およびリピート終点と、リピート始点とリピート終点の中間位置であるリピート中間点と、を予め設定されているリピート再生時間長に基づいて設定してリピート再生動作を開始し、媒体再生部がコンテンツをリピート始点とリピート中間点との間でリピート再生動作中に指示入力部からさらにリピート再生指示が入力された場合に、制御部がリピート始点を所定時間長だけ前方方向へ移動してリピート再生時間長を長く設定する。【選択図】  図２
2014154175.tif 000002
【特許請求の範囲】
【請求項１】
記録媒体に記録されたコンテンツを再生する記録媒体再生装置であって、
該記録媒体再生装置を制御する制御部と、該制御部からリピート再生を含む該コンテンツの再生及び停止等の動作を制御される媒体再生部と、該制御部に該コンテンツの再生に係るユーザー指示を入力する指示入力部と、を備え、
該制御部が、該指示入力部からリピート再生指示が入力された場合に、リピート再生区間を定めるリピート始点およびリピート終点と、該リピート始点と該リピート終点の中間位置であるリピート中間点と、を予め設定されているリピート再生時間長に基づいて設定してリピート再生動作を開始し、
該媒体再生部が該コンテンツを該リピート始点と該リピート中間点との間でリピート再生動作中に該指示入力部からさらに該リピート再生指示が入力された場合に、該制御部が該リピート始点を所定時間長だけ前方方向へ移動して該リピート再生時間長を長く設定する、
記録媒体再生装置。
【請求項２】
前記媒体再生部が前記コンテンツを通常再生動作中に、前記指示入力部から前記制御部に前記リピート再生指示が入力された場合に、該制御部が、該リピート再生指示を入力された再生位置を前記リピート終点に設定し、前記リピート再生時間長に基づいて前記リピート始点および前記リピート中間点を設定して、該媒体再生部に前記リピート再生動作を開始させる、
請求項１に記載の記録媒体再生装置。
【請求項３】
前記媒体再生部が前記コンテンツを前記リピート中間点と前記リピート終点との間で前記リピート再生動作中に、前記指示入力部から前記制御部にさらに前記リピート再生指示が入力された場合に、該制御部が、該リピート再生指示を入力された再生位置を前記リピート終点に設定し、前記リピート始点と該リピート終点の中間位置に前記リピート中間点を設定し、該媒体再生部に該リピート再生動作を継続させる、
請求項１または２に記載の記録媒体再生装置。
【請求項４】
前記媒体再生部が前記コンテンツを前記リピート再生動作中に、前記指示入力部から前記制御部にリピート再生を停止するリピート停止指示が入力された場合に、または、該制御部が所定の設定回数だけ該リピート再生動作が繰り返されたと判断した場合に、該制御部が、前記リピート始点および前記リピート終点および前記リピート中間点を無効化して該媒体再生部に該リピート再生の動作を中止させる、
請求項１から３のいずれかに記載の記録媒体再生装置。
【発明の詳細な説明】
【技術分野】
【０００１】
本発明は、記録媒体に記録されたコンテンツを再生する記録媒体再生装置に関し、特に、リピート再生区間を繰り返し再生するリピート再生機能を含む記録媒体再生装置に関する。
【背景技術】
【０００２】
ＣＤプレーヤー、あるいは、ＤＶＤプレーヤー、等の音響再生装置、または、ＨＤＤビデオレコーダー、等の映像記録再生装置、などを含む記録媒体再生装置は、メディア、あるいは、メモリ等を含む何らかの記録媒体にコンテンツを記録してコンテンツを再生する。記録媒体再生装置では、コンテンツを視聴するユーザーがコンテンツを再生する場合に、曲等のコンテンツ単位でのリピート再生の他に、任意の２点間を指定してこのリピート再生区間を繰り返し再生するリピート再生機能を有するものがある。
【０００３】
上記のリピート再生機能では、ユーザーは、コンテンツを再生して視聴する途中に、リピート再生の始点であるＡ点と、リピート再生の終点であるＢ点とを、それぞれユーザーインターフェイスを介して指定する場合がある。または、ユーザーは、Ａ点までコンテンツ再生の頭出しを行って停止し、リピート再生機能を有効にしてからリピート再生を開始して、一時停止または停止してＢ点を指定するというような場合がある。いずれにせよ、記録媒体再生装置のリピート再生機能では、ユーザーがリピート始点およびリピート終点を指定しなければならず、その操作が煩わしい場合があるという問題がある。
【０００４】
また、従来には、再生させたい目的部分がある場合に、簡単な操作でしかも迅速に再生位置を検索できるようにすることを目的として、記録媒体に記録されている音声情報を読み出し、再生出力することができる再生手段と、再生位置の移動を指示するステップ送り操作手段と、前記ステップ送り操作手段の操作に応じて、前記再生手段による記録媒体に対する音声情報の読出位置を、再生音声にして所定時間分だけ前方又は後方となる位置にアクセス移動させ、アクセス移動終了後に再生動作を再開させるように制御を行なう制御手段と、を有することを特徴とする再生装置がある（特許文献１）。
【０００５】
【特許文献１】特開平９−１４７５３４号公報
【０００６】
記録媒体再生装置において、リピート再生機能を利用してリピート再生する場合に、リピート再生区間を定める操作を含むユーザーの操作は、可能な限り簡易であることが好ましい。さらに、繰り返し試聴したい再生区間は、ユーザーにとってはリピート再生が繰り返されるなかで変化してくることがあるので、リピート始点およびリピート終点は、簡易な操作で柔軟に変更できることが好ましい。
【発明の概要】
【発明が解決しようとする課題】
【０００７】
本発明は、上記の従来技術が有する問題を解決するためになされたものであり、その目的は、リピート再生機能を有する記録媒体再生装置において、リピート始点およびリピート終点を簡易な操作で柔軟に変更できる記録媒体再生装置を提供することにある。
【課題を解決するための手段】
【０００８】
本発明の記録媒体再生装置は、記録媒体に記録されたコンテンツを再生する記録媒体再生装置であって、記録媒体再生装置を制御する制御部と、制御部からリピート再生を含むコンテンツの再生及び停止等の動作を制御される媒体再生部と、制御部にコンテンツの再生に係るユーザー指示を入力する指示入力部と、を備え、制御部が、指示入力部からリピート再生指示が入力された場合に、リピート再生区間を定めるリピート始点およびリピート終点と、リピート始点とリピート終点の中間位置であるリピート中間点と、を予め設定されているリピート再生時間長に基づいて設定してリピート再生動作を開始し、媒体再生部がコンテンツをリピート始点とリピート中間点との間でリピート再生動作中に指示入力部からさらにリピート再生指示が入力された場合に、制御部がリピート始点を所定時間長だけ前方方向へ移動してリピート再生時間長を長く設定する。
【０００９】
好ましくは、本発明の記録媒体再生装置は、媒体再生部がコンテンツを通常再生動作中に、指示入力部から制御部にリピート再生指示が入力された場合に、制御部が、リピート再生指示を入力された再生位置をリピート終点に設定し、リピート再生時間長に基づいてリピート始点およびリピート中間点を設定して、媒体再生部にリピート再生動作を開始させる。
【００１０】
好ましくは、本発明の記録媒体再生装置は、媒体再生部がコンテンツをリピート中間点とリピート終点との間でリピート再生動作中に、指示入力部から制御部にさらにリピート再生指示が入力された場合に、制御部が、リピート再生指示を入力された再生位置をリピート終点に設定し、リピート始点とリピート終点の中間位置にリピート中間点を設定し、媒体再生部にリピート再生動作を継続させる。
【００１１】
また、好ましくは、本発明の記録媒体再生装置は、媒体再生部がコンテンツをリピート再生動作中に、指示入力部から制御部にリピート再生を停止するリピート停止指示が入力された場合に、または、制御部が所定の設定回数だけリピート再生動作が繰り返されたと判断した場合に、制御部が、リピート始点およびリピート終点およびリピート中間点を無効化して媒体再生部にリピート再生の動作を中止させる。
【００１２】
以下、本発明の作用について説明する。
【００１３】
本発明の記録媒体再生装置は、記録媒体に記録されたコンテンツを再生する記録媒体再生装置であって、記録媒体再生装置を制御する制御部と、制御部からリピート再生を含むコンテンツの再生及び停止等の動作を制御される媒体再生部と、制御部にコンテンツの再生に係るユーザー指示を入力する指示入力部と、を備える。制御部は、指示入力部からリピート再生指示が入力された場合に、リピート再生区間を定めるリピート始点およびリピート終点と、リピート始点とリピート終点の中間位置であるリピート中間点と、を予め設定されているリピート再生時間長に基づいて設定してリピート再生動作を開始する。したがって、リピート再生を指定するのみでリピート始点およびリピート終点が一時的に定まるので、ユーザーは、リピート始点とリピート終点とをそれぞれ所望の位置に移動させる動作をさせるだけでよい。
【００１４】
さらに、本発明の記録媒体再生装置では、媒体再生部がコンテンツをリピート始点とリピート中間点との間でリピート再生動作中に指示入力部からさらにリピート再生指示が入力された場合には、制御部が、リピート始点を所定時間長だけ前方方向へ移動してリピート再生時間長を長く設定する。したがって、コンテンツの所望部分がリピート再生区間の冒頭に含まれていない場合には、記録媒体再生装置を操作するユーザーは、リピート区間の前半にリピート再生指示を行うだけでさらに前方にリピート始点を移動できるので、所望のリピート始点を指定しやすくなる。
【００１５】
また、本発明の記録媒体再生装置では、媒体再生部がコンテンツを通常再生動作中に、指示入力部から制御部にリピート再生指示が入力された場合には、制御部が、リピート再生指示を入力された再生位置をリピート終点に設定し、リピート再生時間長に基づいてリピート始点およびリピート中間点を設定して、媒体再生部にリピート再生動作を開始させる。したがって、記録媒体再生装置を操作するユーザーは、通常再生動作中にリピート再生指示を入力するだけでリピート終点を指定できるので、所望のリピート終点を指定してリピート再生動作に移行しやすくなる。
【００１６】
また、本発明の記録媒体再生装置では、媒体再生部がコンテンツをリピート中間点とリピート終点との間でリピート再生動作中に、指示入力部から制御部にさらにリピート再生指示が入力された場合には、制御部が、リピート再生指示を入力された再生位置をリピート終点に設定し、リピート始点とリピート終点の中間位置にリピート中間点を設定し、媒体再生部にリピート再生動作を継続させる。したがって、記録媒体再生装置を操作するユーザーは、リピート再生動作中にリピート再生指示を入力するだけでリピート終点を指定できるので、所望のリピート終点を指定しやすくなる。
【００１７】
また、本発明の記録媒体再生装置では、媒体再生部がコンテンツをリピート再生動作中に、指示入力部から制御部にリピート再生を停止するリピート停止指示が入力された場合に、または、制御部が所定の設定回数だけリピート再生動作が繰り返されたと判断した場合に、制御部が、リピート始点およびリピート終点およびリピート中間点を無効化して媒体再生部にリピート再生の動作を中止させる。したがって、記録媒体再生装置を操作するユーザーは、自動的に、あるいは、簡易な操作でリピート再生動作から通常再生動作に移行しやすくなる。
【発明の効果】
【００１８】
本発明の記録媒体再生装置は、リピート再生機能において、リピート始点およびリピート終点を簡易な操作で柔軟に変更できる記録媒体再生装置を提供することができる。
【図面の簡単な説明】
【００１９】
【図１】本発明の好ましい実施形態による記録媒体再生装置１について説明する図である。（実施例１）
【図２】本発明の好ましい実施形態による記録媒体再生装置１でのリピート再生機能による再生動作について説明する図である。（実施例１）
【発明を実施するための形態】
【００２０】
以下、本発明の好ましい実施形態による記録媒体再生装置について説明するが、本発明はこれらの実施形態には限定されない。
【実施例１】
【００２１】
図１は、本発明の好ましい実施形態による記録媒体再生装置１について説明する図であり、具体的には、記録媒体再生装置１の構成を示すブロック図である。また、図２は、記録媒体再生装置１でのリピート再生機能による再生動作について説明する図である。なお、説明に不要な一部の構造や、内部構造等は、図示ならびに説明を省略している。
【００２２】
本実施例の記録媒体再生装置１は、（図示しない）ＣＤあるいはＤＶＤといったディスク記録媒体に記録されたコンテンツを再生するディスクプレイヤーである。記録媒体再生装置１は、制御部であるマイコン２と、媒体再生部であるディスクドライブ３と、コンテンツの音声を出力する音声出力回路４と、を備える。ディスクドライブ３は、マイコン２から再生及び停止を制御されて、その音声出力である出力音声データを音声出力部４に入力する。音声出力部４の出力は、記録媒体再生装置１の出力端子５に出力されて、（図示しない）増幅器および（図示しない）スピーカーにより音声として再生される。なお、映像データの処理については、説明および図示を省略する。
【００２３】
また、マイコン２には、記録媒体再生装置１の制御に必要なコンテンツの再生に係るユーザー指示を入力する指示入力回路６と、再生状態に関わるデータ等を表示する表示回路７と、が接続する。指示入力回路６は、スイッチ、ジョグダイヤル等の入力デバイスであればよい。表示回路７は、内蔵するＦＬディスプレイ、液晶ディスプレイ等であればよい。
【００２４】
マイコン２は、ユーザーからの操作入力を受けて記録媒体再生装置１を制御し、ディスクドライブ３で再生するコンテンツの任意の２点間を指定してこのリピート再生区間を繰り返し再生するリピート再生機能制御部８を少なくとも含む。リピート再生機能制御部８は、以下に説明するようなリピート再生機能の動作フローを含む。リピート再生機能制御部８は、所定のプログラムをマイコン２で実行することで実現される。マイコン２に接続する（図示しない）メモリは、マイコン２のリピート再生機能を設定するリピート再生設定部を含み、リピート再生機能の有効／無効の切り替え設定の他に、後述するリピート再生時間長の初期値Ｔと、リピート再生時間長を延長するステップ長ΔＴと、リピート再生動作を繰り返す設定回数ｎと、等を設定することができる。
【００２５】
図２を参照して、記録媒体再生装置１でのリピート再生機能による再生動作について説明する。図２は、ディスクドライブ３でコンテンツを再生する場合に、矢印に沿った横方向をコンテンツの再生位置とし、所定位置の間を繰り返し再生するリピート再生を模式的に示す図である。図２では、指示入力回路６を介するユーザーの操作指示（ｒ１〜ｒ５）により、マイコン２が、コンテンツのリピート再生区間を変更しながらリピート再生を行うようにディスクドライブ３を制御する様子を示す。図２に図示するのは、ディスクドライブ３がコンテンツを通常再生動作（Ｓ１）中に、リピート再生動作（Ｓ２〜Ｓ９）に移行し、再び通常再生動作（Ｓ１０）に戻って再生を続ける場合である。
【００２６】
ディスクドライブ３が、記録媒体中のコンテンツを通常の再生動作を行っている場合（Ｓ１）に、指示入力回路６からマイコン２へリピート再生指示（ｒ１）が入力されると、マイコン２は、リピート再生指示ｒ１を入力された再生位置をリピート終点Ｂ０に設定する。指示入力回路６へのリピート再生指示（ｒ１）は、例えば、所定のリピートキーが短押されたことを検出すればよい。マイコン２は、予め設定されているリピート再生時間長Ｔに基づいて、リピート始点Ａ０と、リピート始点Ａ０とリピート終点Ｂ０の中間位置であるリピート中間点Ｃ０と、を設定する。例えば、リピート再生時間長Ｔが１０秒の場合には、リピート始点Ａ０の５秒後の再生位置がリピート中間点Ｃ０であり、リピート始点Ａ０の１０秒後の再生位置がリピート終点Ｂ０である。マイコン２は、リピート再生指示が入力された場合には、リピート再生中フラグをＯＮに設定してもよい。
【００２７】
マイコン２は、リピート始点Ａ０からリピート再生動作を開始する（Ｓ２）。マイコン２は、リピート始点Ａ０から再生を開始して、リピート終点Ｂ０まで再生すると、再びリピート始点Ａ０から繰り返して再生を開始する（Ｓ２〜Ｓ３）。したがって、コンテンツをリピート再生させたいユーザーは、リピート再生させたい再生区間の終点Ｂ０を視聴により確認して決定できる。そして、リピート再生を指定するのみでリピート始点Ａ０およびリピート終点Ｂ０が一時的に定まるので、ユーザーは、リピート始点Ａ０とリピート終点Ｂ０とをそれぞれ所望の位置に移動させる動作をさせるだけでよい。
【００２８】
例えば、予め設定されているリピート再生時間長Ｔが短くて、リピート始点Ａ０がユーザーが望む位置よりも後方である場合には、リピート始点Ａ０をさらに前方に移動してリピート再生時間長を長く設定する（Ｓ３〜Ｓ４）。ユーザーが、図示する再生位置においてリピート再生指示（ｒ２）を入力する様にリピートキーを短押すると、マイコン２は、これを検出して所定時間長ΔＴだけ前方方向へリピート始点を移動して位置Ａ１に設定し、リピート再生時間長を長くしてリピート再生を行う。再生位置（ｒ２）は、リピート始点Ａ０とリピート中間点Ｃ０との間であって、リピート再生時間長Ｔが１０秒の場合には、前半の５秒の間であればどの位置であってもよい。例えば、延長する時間ΔＴが１秒である場合には、リピート再生時間長が１１秒になるので、リピート終点Ｂ０の１１秒前の再生位置がリピート始点Ａ１として設定され、リピート終点Ｂ０の５．５秒前の再生位置がリピート中間点Ｃ１として設定される。したがって、マイコン２は、リピート始点Ａ１からリピート再生動作を開始し、リピート終点Ｂ０まで再生すると、再びリピート始点Ａ１から繰り返して再生を開始する（Ｓ４〜Ｓ５）。
【００２９】
移動させたリピート始点Ａ１がユーザーが望む位置よりもまだ後方である場合には、リピート始点Ａ１をさらに前方の位置Ａ２に移動する操作を繰り返し、リピート再生時間長を長く設定する（Ｓ５〜Ｓ６）。リピート始点Ａ１とリピート中間点Ｃ１との間でリピート再生中に、指示入力回路６からマイコン２へリピート再生指示（ｒ３）が入力されると、マイコン２は、これを検出して所定時間長ΔＴだけさらに前方方向へリピート始点を移動して位置Ａ２に設定し、リピート再生時間長を長くしてリピート再生を行う。また、リピート始点Ａ２とリピート終点Ｂ０の中間位置に、リピート中間点Ｃ２が設定される。その結果、コンテンツの所望部分がリピート再生区間の冒頭に含まれていない場合には、操作するユーザーは、リピート区間の前半にリピート再生指示を行うだけでさらに前方にリピート始点を移動できるので、所望のリピート始点を指定しやすくなる。
【００３０】
次に、予め設定されているリピート再生時間長Ｔが長くて、リピート終点Ｂ０がユーザーが望む位置よりも後方である場合には、リピート終点Ｂ０をさらに前方に移動してリピート再生時間長を短く設定する（Ｓ６〜Ｓ９）。ユーザーが、図示する再生位置においてリピート再生指示（ｒ４）を入力する様にリピートキーを短押すると、マイコン２は、これを検出して再生位置（ｒ４）にリピート終点Ｂ１を設定し、リピート再生時間長を短くしてリピート再生を行う。再生位置（ｒ４）は、リピート中間点Ｃ２とリピート終点Ｂ０との間であればどの位置であってもよい。例えば、リピート始点Ａ２とリピート終点Ｂ１とで定まるリピート再生時間長が８秒になっている場合には、リピート終点Ｂ１の４秒前の再生位置がリピート中間点Ｃ３として設定される。したがって、マイコン２は、リピート始点Ａ２からリピート再生動作を開始し、リピート終点Ｂ１まで再生すると、再びリピート始点Ａ２から繰り返して再生を開始する（Ｓ７〜Ｓ９）。その結果、ユーザーは、リピート再生動作中にリピート再生指示を入力するだけで所望のリピート終点Ｂ１を指定しやすくなる。
【００３１】
また、リピート再生動作中にユーザーがリピート再生を止めて通常再生へ移行する場合には、マイコン２は、指示入力回路６からリピート停止指示（ｒ５）が入力されるのを検出する（Ｓ１０）。マイコン２は、リピート停止指示を受けて、リピート始点Ａ２およびリピート終点Ｂ１およびリピート中間点Ｃ３を無効化して、ディスクドライブ３にリピート再生の動作を中止させ、リピート再生の動作前の動作である通常再生へ移行する。例えば、リピート停止指示（ｒ５）は、指示入力回路６においてリピートキーが長押されるのを検出すればよい。したがって、ユーザーは、簡易な操作でリピート再生動作から通常再生動作に移行することができる。マイコン２は、リピート停止指示が入力された場合には、リピート再生中フラグをＯＦＦに設定し、これを検出してもよい。
【００３２】
なお、リピート再生動作を繰り返す設定回数ｎが設定されている場合には、自動的にリピート再生動作から通常再生動作に移行させることができる。その場合には、リピート再生動作が設定回数ｎだけ繰り返されたかどうかをマイコン２が判断し、設定回数ｎに至った場合には、リピート始点Ａ２およびリピート終点Ｂ１およびリピート中間点Ｃ３を無効化して、ディスクドライブ３にリピート再生の動作を中止さればよい。もちろん、リピート再生動作の設定回数ｎは、無効にしてもよい。
【００３３】
また、上記実施例では、通常再生動作からリピート再生動作へ移行する場合を説明しているが、コンテンツ再生を停止中にリピート再生動作へ移行するようにしてもよい。つまり、コンテンツの停止位置を、リピート始点とリピート終点とのいずれか一方に指定すればよく、予め設定されているリピート再生時間長に基づいてリピート始点とリピート終点とのいずれか他方を設定し、さらに、リピート始点とリピート終点の中間位置であるリピート中間点を設定すればよい。ユーザーは、リピート区間の前半にリピート再生指示を行うだけでさらに前方にリピート始点を移動でき、リピート区間の後半にリピート再生指示を行うだけでリピート終点を指定できる。つまり、本実施例の記録媒体再生装置１では、リピート始点およびリピート終点を簡易な操作で柔軟に変更できる。ユーザーにとっては繰り返し試聴したい再生区間が、リピート再生が繰り返されるなかで変化してくる場合にも、柔軟にリピート再生区間を変更できる。
【００３４】
なお、本実施例の記録媒体再生装置１では、ディスクドライブ３を含むプレーヤーであるが、記録媒体としてのＨＤＤ、あるいは、メモリに格納されたコンテンツを再生する再生装置であれば良く、パーソナルコンピューター等の電子計算機であってもよい。また、コンテンツが記録される記録媒体は、記録媒体再生装置とＨＤＭＩあるいはＵＳＢ等の有線通信または無線通信により接続可能な外部装置に含まれるものあってもよく、クラウドコンピューティングを利用するものであってもよい。また、本実施例の記録媒体再生装置１では、制御部であるマイコン２および音声出力回路４を含むプレーヤーであるが、マイコン２および音声出力回路４は、一つまたは複数のＣＰＵなどであって、制御処理および音声信号処理を行う演算回路であってもよい。
【産業上の利用可能性】
【００３５】
本発明の記録媒体再生装置は、デジタル音声信号含むコンテンツを再生するステレオ装置、あるいは、マルチチャンネルサラウンド音声再生装置のみならず、ディスプレイ等の映像・音響機器、等にも適用が可能である。
【符号の説明】
【００３６】
１        記録媒体再生装置
２        マイコン
３        ディスクドライブ
４        音声出力回路
５        出力端子
６        指示入力回路
７        表示回路
８        リピート再生機能制御部
【図１】
2014154175.tif 000003
【図２】
2014154175.tif 000004